(57)【要約】現在の開示のある態様は、無線通信システムにおける複数入力複数出力（ＭＩＭＯ）関連のシグナリングのための技術に関する。１つの態様では、ダウンリンク制御チャネルに関連付けられた信号を受信することと、ここで、この信号は、ユーザ機器（ＵＥ）に特有の情報を含む、この情報に基づいて、複数のＵＥ特有の基準信号（ＲＳ）パターンから、ＵＥ特有のＲＳパターンを選択することと、を含む無線通信のための方法が提供される。
2013502835.tif 000002
【特許請求の範囲】
【請求項１】
無線通信のための方法であって、
ダウンリンク制御チャネルに関連付けられた信号を、ユーザ機器（ＵＥ）によって受信することと、ここで、前記信号は、ＵＥ特有の情報を備える、
前記情報に基づいて、複数のＵＥ特有の基準信号（ＲＳ）パターンから、ＵＥ特有のＲＳパターンを選択することと、
を備える方法
【請求項２】
前記情報は、前記ＵＥ特有のＲＳパターンのインジケーションを備える、請求項１に記載の方法。
【請求項３】
前記情報は、前記ＵＥのランクと、複数のＵＥの合計ランクとを備える、請求項１に記載の方法。
【請求項４】
前記選択されたＵＥ特有のＲＳパターンは、基準信号の送信のためにどのリソースが使用されるのかを示す、請求項１に記載の方法。
【請求項５】
前記選択されたＵＥ特有のＲＳパターンは、データ・シンボルの送信のためにどのリソースが使用されるのかを示す、請求項１に記載の方法。
【請求項６】
無線通信のための装置であって、
ダウンリンク制御チャネルに関連付けられた信号を受信する手段と、ここで、前記信号は、装置特有の情報を備える、
前記情報に基づいて、複数のユーザ特有の基準信号（ＲＳ）パターンから、ユーザ特有のＲＳパターンを選択する手段と、
を備える装置。
【請求項７】
前記情報は、前記ユーザ特有のＲＳパターンのインジケーションを備える、請求項６に記載の装置。
【請求項８】
前記情報は、前記装置のランクと、複数の装置の合計ランクとを備える、請求項６に記載の装置。
【請求項９】
前記選択されたユーザ特有のＲＳパターンは、基準信号の送信のためにどのリソースが使用されるのかを示す、請求項６に記載の装置。
【請求項１０】
前記選択されたユーザ特有のＲＳパターンは、データ・シンボルの送信のためにどのリソースが使用されるのかを示す、請求項６に記載の装置。
【請求項１１】
無線通信のための装置であって、
ダウンリンク制御チャネルに関連付けられた信号を受信するように構成された受信機と、ここで、前記信号は、装置特有の情報を備える、
前記情報に基づいて、複数のユーザ特有の基準信号（ＲＳ）パターンから、ユーザ特有のＲＳパターンを選択するように構成されたモジュールと、
を備える装置。
【請求項１２】
前記情報は、前記ユーザ特有のＲＳパターンのインジケーションを備える、請求項１１に記載の装置。
【請求項１３】
前記情報は、前記装置のランクと、複数の装置の合計ランクとを備える、請求項１１に記載の装置。
【請求項１４】
前記選択されたユーザ特有のＲＳパターンは、基準信号の送信のためにどのリソースが使用されるのかを示す、請求項１１に記載の装置。
【請求項１５】
前記選択されたユーザ特有のＲＳパターンは、データ・シンボルの送信のためにどのリソースが使用されるのかを示す、請求項１１に記載の装置。
【請求項１６】
１または複数のプロセッサによって実行可能な、格納された命令群を有するコンピュータ読取可能な媒体を備える、無線通信のためのコンピュータ・プログラム製品であって、前記命令群は、
ダウンリンク制御チャネルに関連付けられた信号を、ユーザ機器（ＵＥ）によって受信するための命令群と、ここで、前記信号は、ＵＥ特有の情報を備える、
前記情報に基づいて、複数のＵＥ特有の基準信号（ＲＳ）パターンから、ＵＥ特有のＲＳパターンを選択するための命令群と、
を備えるコンピュータ・プログラム製品。
【請求項１７】
前記情報は、前記ＵＥ特有のＲＳパターンのインジケーションを備える、請求項１６に記載のコンピュータ・プログラム製品。
【請求項１８】
前記情報は、前記ＵＥのランクと、複数のＵＥの合計ランクとを備える、請求項１６に記載のコンピュータ・プログラム製品。
【請求項１９】
前記選択されたＵＥ特有のＲＳパターンは、基準信号の送信のためにどのリソースが使用されるのかを示す、請求項１６に記載のコンピュータ・プログラム製品。
【請求項２０】
前記選択されたＵＥ特有のＲＳパターンは、データ・シンボルの送信のためにどのリソースが使用されるのかを示す、請求項１６に記載のコンピュータ・プログラム製品。
【請求項２１】
無線通信のための方法であって、
基準信号（ＲＳ）を備える信号を、ユーザ機器（ＵＥ）において受信することと、ここで、前記ＲＳは、特有の疑似雑音（ＰＮ）シーケンスに関連付けられている、
複数のＰＮシーケンスを用いて、前記ＲＳのブラインド復号を実行することと、
前記ブラインド復号の結果に基づいて、複数のＵＥ特有の基準信号（ＲＳ）パターンから、ＵＥ特有のＲＳパターンを決定することと、
を備える方法。
【請求項２２】
前記受信した信号の別のブラインド復号を、別の複数のＰＮシーケンスを用いて実行することと、
前記別のブラインド復号の結果に基づいて、前記ＵＥによってスパンされたレイヤの数を決定することと、
をさらに備える、請求項２１に記載の方法。
【請求項２３】
無線通信のための装置であって、
基準信号（ＲＳ）を備える信号を受信する手段と、ここで、前記ＲＳは、特有の疑似雑音（ＰＮ）シーケンスに関連付けられている、
複数のＰＮシーケンスを用いて、前記ＲＳのブラインド復号を実行する手段と、
前記ブラインド復号の結果に基づいて、複数のユーザ特有の基準信号（ＲＳ）パターンから、ユーザ特有のＲＳパターンを決定する手段と、
を備える装置。
【請求項２４】
前記受信した信号の別のブラインド復号を、別の複数のＰＮシーケンスを用いて実行する手段と、
前記別のブラインド復号の結果に基づいて、前記装置によってスパンされたレイヤの数を決定する手段と、
をさらに備える、請求項２３に記載の装置。
【請求項２５】
無線通信のための装置であって、
基準信号（ＲＳ）を備える信号を受信するように構成された受信機と、ここで、前記ＲＳは、特有の疑似雑音（ＰＮ）シーケンスに関連付けられている、
複数のＰＮシーケンスを用いて、前記ＲＳのブラインド復号を実行するように構成されたデコーダと、
前記ブラインド復号の結果に基づいて、複数のユーザ特有の基準信号（ＲＳ）パターンから、ユーザ特有のＲＳパターンを決定するように構成されたモジュールと、
を備える装置。
【請求項２６】
前記デコーダはまた、前記受信した信号の別のブラインド復号を、別の複数のＰＮシーケンスを用いて実行するように構成され、
前記モジュールはまた、前記別のブラインド復号の結果に基づいて、前記装置によってスパンされたレイヤの数を決定するように構成された、請求項２５に記載の装置。
【請求項２７】
１または複数のプロセッサによって実行可能な、格納された命令群を有するコンピュータ読取可能な媒体を備える、無線通信のためのコンピュータ・プログラム製品であって、前記命令群は、
基準信号（ＲＳ）を備える信号を、ユーザ機器（ＵＥ）において受信するための命令群と、ここで、前記ＲＳは、特有の疑似雑音（ＰＮ）シーケンスに関連付けられている、
複数のＰＮシーケンスを用いて、前記ＲＳのブラインド復号を実行するための命令群と、
前記ブラインド復号の結果に基づいて、複数のＵＥ特有の基準信号（ＲＳ）パターンから、ＵＥ特有のＲＳパターンを決定するための命令群と、
を備えるコンピュータ・プログラム製品。
【請求項２８】
前記命令群はさらに、前記受信した信号の別のブラインド復号を、別の複数のＰＮシーケンスを用いて実行するための命令群と、
前記別のブラインド復号の結果に基づいて、前記ＵＥによってスパンされたレイヤの数を決定するための命令群と、
を備える請求項２７に記載のコンピュータ・プログラム製品。
【請求項２９】
無線通信のための方法であって、
基準信号（ＲＳ）パターンを生成することと、ここで、前記ＲＳパターンは、ユーザ機器（ＵＥ）のランクに特有の疑似雑音（ＰＮ）シーケンスを備える、
前記ＵＥに前記ＲＳパターンを送信することと、
を備える方法。
【請求項３０】
前記ＲＳパターンは、１または複数のＰＮシーケンスを備え、前記ＰＮシーケンスのおのおのは、前記ＵＥの異なるレイヤに関連付けられる、請求項２９に記載の方法。
【請求項３１】
無線通信のための装置であって、
基準信号（ＲＳ）パターンを生成する手段と、ここで、前記ＲＳパターンは、ユーザ機器（ＵＥ）のランクに特有の疑似雑音（ＰＮ）シーケンスを備える、
前記ＵＥに前記ＲＳパターンを送信する手段と、
を備える装置。
【請求項３２】
前記ＲＳパターンは、１または複数のＰＮシーケンスを備え、前記ＰＮシーケンスのおのおのは、前記ＵＥの異なるレイヤに関連付けられる、請求項３１に記載の装置。
【請求項３３】
無線通信のための装置であって、
基準信号（ＲＳ）パターンを生成するように構成されたモジュールと、ここで、前記ＲＳパターンは、ユーザ機器（ＵＥ）のランクに特有の疑似雑音（ＰＮ）シーケンスを備える、
前記ＵＥに前記ＲＳパターンを送信するように構成された送信機と、
を備える装置。
【請求項３４】
前記ＲＳパターンは、１または複数のＰＮシーケンスを備え、前記ＰＮシーケンスのおのおのは、前記ＵＥの異なるレイヤに関連付けられる、請求項３３に記載の装置。
【請求項３５】
１または複数のプロセッサによって実行可能な、格納された命令群を有するコンピュータ読取可能な媒体を備える、無線通信のためのコンピュータ・プログラム製品であって、前記命令群は、
基準信号（ＲＳ）パターンを生成するための命令群と、ここで、前記ＲＳパターンは、ユーザ機器（ＵＥ）のランクに特有の疑似雑音（ＰＮ）シーケンスを備える、
前記ＵＥに前記ＲＳパターンを送信するための命令群と、
を備えるコンピュータ・プログラム製品。
【請求項３６】
前記ＲＳパターンは、１または複数のＰＮシーケンスを備え、前記ＰＮシーケンスのおのおのは、前記ＵＥの異なるレイヤに関連付けられる、請求項３５に記載のコンピュータ・プログラム製品。
【発明の詳細な説明】
【優先権主張】
【０００１】
本特許出願は、本願の譲受人に譲渡され、本明細書において参照によって明確に組み込まれている２００９年８月１７日出願の「ＬＴＥ−ＡにおけるＭＩＭＯ関連シグナリング」（MIMO related signaling in LTE-A）と題された米国仮特許出願６１／２３４，６０１号の利益を要求する。
【技術分野】
【０００２】
本開示のある態様は、一般に、無線通信に関し、さらに詳しくは、無線通信システムにおける複数入力複数出力（ＭＩＭＯ）関連シグナリングに関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システム、ロング・ターム・イボリューション・アドバンスト（ＬＴＥ−Ａ）システム、および直交周波数分割多元接続（ＯＦＤＭＡ）システムを含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システム、および周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【発明の概要】
【０００７】
本開示のある態様は、無線通信のための方法を提供する。この方法は一般に、ダウンリンク制御チャネルに関連付けられた信号を、ユーザ機器（ＵＥ）によって受信することと、ここで、この信号は、ＵＥ特有の情報を備える、この情報に基づいて、複数のＵＥ特有の基準信号（ＲＳ）パターンから、ＵＥ特有のＲＳパターンを選択することと、を含む。
【０００８】
本開示のある態様は、無線通信のための装置を提供する。この装置は一般に、ダウンリンク制御チャネルに関連付けられた信号を受信する手段と、ここで、この信号は、装置特有の情報を備える、この情報に基づいて、複数のユーザ特有の基準信号（ＲＳ）パターンから、ユーザ特有のＲＳパターンを選択する手段と、を含む。
【０００９】
本開示のある態様は、無線通信のための装置を提供する。この装置は一般に、ダウンリンク制御チャネルに関連付けられた信号を受信するように構成された受信機と、ここで、この信号は、装置特有の情報を備える、この情報に基づいて、複数のユーザ特有の基準信号（ＲＳ）パターンから、ユーザ特有のＲＳパターンを選択するように構成された回路と、を含む。
【００１０】
本開示のある態様は、１または複数のプロセッサによって実行可能な、格納された命令群を有するコンピュータ読取可能な媒体を備える、無線通信のためのコンピュータ・プログラム製品を提供する。これら命令群は一般に、ダウンリンク制御チャネルに関連付けられた信号を、ユーザ機器（ＵＥ）によって受信するための命令群と、ここで、この信号は、ＵＥ特有の情報を備える、この情報に基づいて、複数のＵＥ特有の基準信号（ＲＳ）パターンから、ＵＥ特有のＲＳパターンを選択するための命令群と、を含む。
【００１１】
本開示のある態様は、無線通信のための装置を提供する。この装置は一般に、ダウンリンク制御チャネルに関連付けられた信号を受信し、ここで、この信号は、装置特有の情報を備える、この情報に基づいて、複数のユーザ特有の基準信号（ＲＳ）パターンから、ユーザ特有のＲＳパターンを選択するように構成された少なくとも１つのプロセッサと、少なくとも１つのプロセッサに接続されたメモリと、を含む。
【００１２】
本開示のある態様は、無線通信のための方法を提供する。この方法は一般に、基準信号（ＲＳ）を備える信号を、ユーザ機器（ＵＥ）において受信することと、ここで、ＲＳは、特有の疑似雑音（ＰＮ）シーケンスに関連付けられている、複数のＰＮシーケンスを用いて、ＲＳのブラインド復号を実行することと、ブラインド復号の結果に基づいて、複数のＵＥ特有の基準信号（ＲＳ）パターンから、ＵＥ特有のＲＳパターンを決定することと、を含む。
【００１３】
本開示のある態様は、無線通信のための装置を提供する。この装置は一般に、基準信号（ＲＳ）を備える信号を受信する手段と、ここで、ＲＳは、特有の疑似雑音（ＰＮ）シーケンスに関連付けられている、複数のＰＮシーケンスを用いて、ＲＳのブラインド復号を実行する手段と、ブラインド復号の結果に基づいて、複数のユーザ特有の基準信号（ＲＳ）パターンから、ユーザ特有のＲＳパターンを決定する手段と、を含む。
【００１４】
本開示のある態様は、無線通信のための装置を提供する。この装置は一般に、基準信号（ＲＳ）を備える信号を受信するように構成された受信機と、ここで、ＲＳは、特有の疑似雑音（ＰＮ）シーケンスに関連付けられている、複数のＰＮシーケンスを用いて、ＲＳのブラインド復号を実行するように構成されたデコーダと、ブラインド復号の結果に基づいて、複数のユーザ特有の基準信号（ＲＳ）パターンから、ユーザ特有のＲＳパターンを決定するように構成された回路と、を含む。
【００１５】
本開示のある態様は、１または複数のプロセッサによって実行可能な、格納された命令群を有するコンピュータ読取可能な媒体を備える、無線通信のためのコンピュータ・プログラム製品を提供する。これら命令群は一般に、基準信号（ＲＳ）を備える信号を、ユーザ機器（ＵＥ）において受信するための命令群と、ここで、ＲＳは、特有の疑似雑音（ＰＮ）シーケンスに関連付けられている、複数のＰＮシーケンスを用いて、ＲＳのブラインド復号を実行するための命令群と、ブラインド復号の結果に基づいて、複数のＵＥ特有の基準信号（ＲＳ）パターンから、ＵＥ特有のＲＳパターンを決定するための命令群と、を含む。
【００１６】
本開示のある態様は、無線通信のための装置を提供する。この装置は一般に、基準信号（ＲＳ）を備える信号を受信し、ここで、ＲＳは、特有の疑似雑音（ＰＮ）シーケンスに関連付けられている、複数のＰＮシーケンスを用いて、ＲＳのブラインド復号を実行し、ブラインド復号の結果に基づいて、複数のユーザ特有の基準信号（ＲＳ）パターンから、ユーザ特有のＲＳパターンを決定するように構成された少なくとも１つのプロセッサと、少なくとも１つのプロセッサに接続されたメモリと、を含む。
【００１７】
本開示のある態様は、無線通信のための方法を提供する。この方法は一般に、基準信号（ＲＳ）パターンを生成することと、ここで、ＲＳパターンは、ユーザ機器（ＵＥ）のランクに特有の疑似雑音（ＰＮ）シーケンスを備える、ＵＥにＲＳパターンを送信することと、を含む。
【００１８】
本開示のある態様は、無線通信のための装置を提供する。この装置は一般に、基準信号（ＲＳ）パターンを生成する手段と、ここで、ＲＳパターンは、ユーザ機器（ＵＥ）のランクに特有の疑似雑音（ＰＮ）シーケンスを備える、ＵＥにＲＳパターンを送信する手段と、を含む。
【００１９】
本開示のある態様は、無線通信のための装置を提供する。この装置は一般に、基準信号（ＲＳ）パターンを生成するように構成された回路と、ここで、ＲＳパターンは、ユーザ機器（ＵＥ）のランクに特有の疑似雑音（ＰＮ）シーケンスを備える、ＵＥにＲＳパターンを送信するように構成された送信機と、を含む。
【００２０】
本開示のある態様は、１または複数のプロセッサによって実行可能な、格納された命令群を有するコンピュータ読取可能な媒体を備える、無線通信のためのコンピュータ・プログラム製品を提供する。これら命令群は一般に、基準信号（ＲＳ）パターンを生成するための命令群と、ここで、ＲＳパターンは、ユーザ機器（ＵＥ）のランクに特有の疑似雑音（ＰＮ）シーケンスを備える、ＵＥにＲＳパターンを送信するための命令群と、を含む。
【００２１】
本開示のある態様は、無線通信のための装置を提供する。この装置は一般に、基準信号（ＲＳ）パターンを生成し、ここで、ＲＳパターンは、ユーザ機器（ＵＥ）のランクに特有の疑似雑音（ＰＮ）シーケンスを備える、ＵＥにＲＳパターンを送信するように構成された少なくとも１つのプロセッサと、少なくとも１つのプロセッサに接続されたメモリと、を含む。
【図面の簡単な説明】
【００２２】
本開示の上述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある態様にしたがう多元接続無線通信システムの例を例示する。
【図２】図２は、本開示の態様にしたがうアクセス・ポイントおよびユーザ端末のブロック図を例示する。
【図３】図３は、本開示のある態様にしたがって基準信号（ＲＳ）を通信することを容易にするシステムの例を例示する。
【図４】図４は、本開示のある態様にしたがってＵＥ特有の基準信号（ＲＳ）パターンを決定するためにユーザ機器において実行されうる動作の例を図示する。
【図４Ａ】図４Ａは、図４に例示された動作を実行することが可能な構成要素の例を例示する。
【図５】図５は、本開示のある態様にしたがって、ＵＥ特有のＲＳパターンをブラインド復号するためにＵＥにおいて実行されうる動作の例を例示する。
【図５Ａ】図５Ａは、図５において例示された動作を実行することが可能な構成要素の例を例示する。
【図６】図６は、本開示のある態様にしたがってアクセス・ポイントによって実行されうる、ＲＳパターンを生成するための動作の例を図示する。
【図６Ａ】図６Ａは、図６で例示された動作を実行することが可能な構成要素の例を例示する。
【発明を実施するための形態】
【００２３】
本開示のさまざまな態様は、添付図面を参照して以下により十分に記載される。しかしながら、本開示は、異なる多くの形態で具体化され、本開示を通じて示されたいかなる具体的な構成または機能にも限定されると解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外が追加された構成および機能を用いて実現されるこのような装置または方法をカバーすることが意図されている。本明細書で示された開示のあらゆる態様は、特許請求の範囲の１または複数の要素によって具体化されうる。
【００２４】
「典型的である」という単語は「例、事例、あるいは実例として役立つ」ことを意味するために本明細書で使用される。本明細書において「典型的」と記載されるいかなる態様も、他の態様に対して好適であるとか、有利であると必ずしも解釈される必要はない。
【００２５】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、そのうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２６】
（典型的な無線通信システム）  
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含んでいる。ＣＤＭＡ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）およびロング・ターム・イボリューション・アドバンスト（ＬＴＥ−Ａ）は、Ｅ−ＵＴＲＡを使用するＵＭＴＳの次代のリリースである。ＵＴＲＡ、Ｅ−ＵＴＲＡ、ＧＳＭ、ＵＭＴＳ、ＬＴＥ、およびＬＴＥ−Ａは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥ−Ａについて記載されており、ＬＴＥ−Ａ用語が以下の説明の多くで使用される。
【００２７】
シングル・キャリア周波数分割多元接続（ＳＣ−ＦＤＭＡ）は、送信機側でシングル・キャリア変調を、受信機側で周波数領域等値化を利用する技術である。ＳＣ−ＦＤＭＡは、ＯＦＤＭＡシステムと同様の性能および実質的に同じ全体複雑さを有する。しかしながら、ＳＣ−ＦＤＭＡ信号は、その固有のシングル・キャリア構造のために、より低い平均ピーク対電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。それは現在、３ＧＰＰ  ＬＴＥ、ＬＴＥ−Ａ、およびイボルブドＵＴＲＡにおけるアップリンク多元接続スキームのための動作前提である。
【００２８】
アクセス・ポイント（“ＡＰ”）は、ノードＢ、イボルブド・ノードＢ（“ｅノードＢ”）、ラジオ・ネットワーク・コントローラ（“ＲＮＣ”）、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００２９】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００３０】
図１に示すように、１つの態様にしたがった多元接続無線通信システムが例示される。アクセス・ポイント１００（ＡＰ）は、１つのグループはアンテナ１０４、１０６を含み、別のグループはアンテナ１０８、１１０を含み、さらに別のグループはアンテナ１１２、１１４を含む複数のアンテナ・グループを含みうる。図１では、おのおののアンテナ・グループについて２本のアンテナしか示されていない。しかしながら、おのおののアンテナ・グループについて、それより多くのまたはそれより少ないアンテナが利用されうる。アクセス端末１１６（ＡＴ）はアンテナ１１２、１１４と通信している。ここで、アンテナ１１２、１１４は、順方向リンク１２０でアクセス端末１１６へ情報を送信し、逆方向リンク１１８でアクセス端末１１６から情報を受信する。アクセス端末１２２（ＡＴ）はアンテナ１０６、１０８と通信している。ここで、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために、異なる周波数を使用しうる。例えば、順方向リンク１２０は、逆方向リンク１１８によって使用されるものとは異なる周波数を使用しうる。
【００３１】
通信するように設計された領域および／またはアンテナのおのおののグループは、しばしば、アクセス・ポイントのセクタと称される。本開示の１つの態様では、おのおののアンテナ・グループは、アクセス・ポイント１００によってカバーされる領域のセクタ内のアクセス端末へ通信するように設計される。
【００３２】
順方向リンク１２０、１２６による通信では、アクセス・ポイント１００の送信アンテナは、別のアクセス端末１１６、１２４のための順方向リンクの信号対雑音比を改善するために、ビームフォーミングを利用することができる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００３３】
図２は、複数入力複数出力（ＭＩＭＯ）システム２００における送信機システム２１０（例えば、アクセス・ポイント）および受信機システム２５０（例えば、アクセス端末）のブロック図である。送信機システム２１０では、多くのデータ・ストリーム用のトラフィック・データが、データ・ソース２１２から送信（ＴＸ）データ・プロセッサ２１４に提供される。
【００３４】
本開示の１つの態様では、データ・ストリームはおのおのの、それぞれの送信アンテナを介して送信されうる。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３５】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００３６】
すべてのデータ・ストリームの変調シンボルは、（例えば、ＯＦＤＭのための）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。本開示のある態様では、ＴＸ  ＭＩＭＯプロセッサ２２０は、データ・ストリームのシンボル、および、そのシンボルが送信されるアンテナへ、ビームフォーミング重みを適用する。
【００３７】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３８】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供されうる。受信機２５４はおのおの、それぞれの受信信号を調整（例えば、フィルタ、増幅、および、ダウンコンバート）し、調整された信号をデジタル化して、サンプルを得る。さらに、これらサンプルを処理して、対応する「受信」シンボル・ストリームを提供する。
【００３９】
ＲＸデータ・プロセッサ２６０は、ＮＲ個の受信機２５４からＮＲ個のシンボル・ストリームを受信し、受信されたこれらシンボル・ストリームを、特定の受信処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００４０】
プロセッサ２７０は、上述したように、利用可能などの技術を利用するのかを定期的に決定する。さらに、プロセッサ２７０は、行列インデクス部およびランク値部を備えた逆方向リンク・メッセージを規定することができる。これら逆方向リンク・メッセージは、通信リンクおよび／または受信データ・ストリームに関する様々なタイプの情報を含みうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機（ＴＭＴＲ）２５４ａ乃至２５４ｒによって調整され、基地局２１０へ送り戻される。
【００４１】
送信機システム２１０では、受信機システム２５０からの変調信号が、アンテナ２２４によって受信され、受信機（ＲＣＶＲ）２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどの事前符号化行列を使用するかを決定するために、この抽出されたメッセージを処理する。
【００４２】
本開示の態様では、論理無線通信チャネルが、制御チャネルおよびトラフィック・チャネルに分類されうる。論理制御チャネルは、システム制御情報をブロードキャストするためのダウンリンク（ＤＬ）チャネルであるブロードキャスト制御チャネル（ＢＣＣＨ）を備えうる。ページング制御チャネル（ＰＣＣＨ）は、ページング情報を転送するＤＬ論理制御チャネルである。マルチキャスト制御チャネル（ＭＣＣＨ）は、１またはいくつかのマルチキャスト・トラフィック・チャネル（ＭＴＣＨ）のための、マルチメディア・ブロードキャストおよびマルチメディア・サービス（ＭＢＭＳ）スケジューリングと、制御情報とを送信するために使用されるポイント・トゥ・マルチポイントＤＬ論理制御チャネルである。一般に、ラジオ・リソース制御（ＲＲＣ）接続を確立した後、ＭＢＭＳを受信したユーザ端末によってのみＭＣＣＨが使用されうる。専用制御チャネル（ＤＣＣＨ）は、専用制御情報を送信するポイント・トゥ・ポイント双方向論理制御チャネルであり、ＲＲＣ接続を有するユーザ端末によって使用される。論理トラフィック・チャネルは、ユーザ情報の転送のために、１つのユーザ端末に特化されたポイント・トゥ・ポイント双方向チャネルである専用トラフィック・チャネル（ＤＴＣＨ）を備えうる。さらに、論理トラフィック・チャネルは、トラフィック・データを送信するポイント・トゥ・マルチポイントＤＬチャネルであるマルチキャスト・トラフィック・チャネル（ＭＴＣＨ）を備えうる。
【００４３】
伝送チャネルは、ＤＬチャネルとＵＬチャネルとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備えうる。ＰＣＨは、ユーザ端末における省電力をサポートする（すなわち、不連続受信（ＤＲＸ）サイクルが、ネットワークによって、ユーザ端末へ示されうる）ために利用され、セル全体にわたってブロードキャストされ、物理レイヤ（ＰＨＹ）リソースへマップされる。ＰＨＹリソースは、他の制御／トラフィック・チャネルのために使用されうる。ＵＬ伝送チャネルはランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備えうる。
【００４４】
ＰＨＹチャネルは、ＤＬチャネルおよびＵＬチャネルのセットを備えうる。ＤＬ  ＰＨＹチャネルは以下を備える。物理ダウンリンク共有チャネル（ＰＤＳＣＨ）、物理ブロードキャスト・チャネル（ＰＢＳＨ）、物理マルチキャスト・チャネル（ＰＭＣＨ）、物理ダウンリンク制御チャネル（ＰＤＣＣＨ）、物理ハイブリッド自動反復要求インジケータ・チャネル（ＰＨＩＣＨ）、および、物理制御フォーマット・インジケータ・チャネル（ＰＣＦＩＣＨ）。
【００４５】
ＵＬ  ＰＨＹチャネルは以下を備える。物理ランダム・アクセス・チャネル（ＰＲＡＣＨ）、物理アップリンク共有チャネル（ＰＵＳＣＨ）、および物理アップリンク制御チャネル（ＰＵＣＣＨ）。
【００４６】
態様では、シングル・キャリア波形の低ＰＡＲ（所与の時間において、チャネルは、周波数において隣接しているか、あるいは一定の間隔をもって配置されている）特性を維持するチャネル構造が提供される。
【００４７】
ＬＴＥリリース８無線通信規格（または、単に“Ｒｅｌ−８”）では、
例えば、図１に例示するシステムのようなマルチ・ユーザ複数入力複数出力（ＭＵ−ＭＩＭＯ）無線システムのために、ランク１のみがサポートされうる。（例えば、ＵＥ１１６またはＵＥ１２２からのような）ユーザ機器（ＵＥ）からのフィードバックは、ランク１シングル・ユーザＭＩＭＯ（ＳＵ−ＭＩＭＯ）システムに関して同一である。ダウンリンク（ＤＬ）許可は、事前符号化ベクトルをＵＥへシグナルする一方、コンパニオン・ユーザ情報はシグナルされないことがある。
【００４８】
セル特有の基準信号（ＣＲＳ）のＤＬ送信は、Ｒｅｌ−８によってサポートされている。ＭＵ−ＭＩＭＯシステムのおのおののＵＥは、ＣＲＳから、事前符号化されたチャネル推定値を取得しうる。事前符号化ベクトルは、物理ダウンリンク制御チャネル（ＰＤＣＣＨ）でシグナルされうる。
【００４９】
ＬＴＥ−Ａリリース１０では、ＵＥ特有の基準信号（ＲＳ）が、復調のために利用されうる。ＲＳオーバヘッドを低減するために、異なるＵＥ特有のＲＳパターンには、異なるランクが、潜在的に関連付けられうる。ＳＵ−ＭＩＭＯの場合、ＵＥのためにＰＤＣＣＨでシグナルされたランクは、ＵＥ特有のＲＳパターンをユニークに決定しうる。しかしながら、ＭＵ−ＭＩＭＯの場合、ターゲットＵＥのためのランク情報のみでは十分ではないことがありうる。
【００５０】
（ＬＴＥ−ＡにおけるＭＩＭＯシグナリング）  
図３は、マルチ・ユーザ複数入力複数出力（ＭＵ−ＭＵＭＯ）構成において、ランク依存のユーザ機器特有の基準信号（ＵＥ特有の基準信号）を通信することを容易にするシステム３００を例示する。システム３００は、例えば、無線ネットワークへのアクセスを無線デバイス３０４に提供するピア・トゥ・ピア通信モード等において動作するモバイル・デバイス、モバイル基地局、中継ノード、ピコセル・アクセス・ポイント、フェムトセル・アクセス・ポイント、ｅノードＢ、および基地局でありうるアクセス・ポイント３０２を備えうる。無線デバイス３０４は、モバイル・デバイス、ユーザ機器（ＵＥ）、これらの一部、あるいは、無線ネットワークへのアクセスを受信しうる実質的に任意のデバイスでありうる。
【００５１】
アクセス・ポイント３０２は、ＲＳ送信に関するパラメータを（例えば、ＰＤＣＣＨで）提供するＲＳ情報シグナリング構成要素３０６と、基準信号を１または複数の無線デバイスへ送信するＲＳ構成要素３０８と、を備えうる。無線デバイス３０４は、アクセス・ポイントから、ＲＳ送信に関連する１または複数のパラメータを取得しうるＲＳ情報受信構成要素３１０と、無線デバイスに関連するランクを受信しうるランク決定構成要素３１２と、このランクに少なくとも部分的に基づいて１または複数のＲＳを復号するＲＳ復号構成要素３１４と、を備えうる。
【００５２】
例によれば、説明するように、空間ユーザ間のＵＥ特有の復調ＲＳは、符号分割多重化（ＣＤＭ）、周波数分割多重化（ＦＤＭ）、またはこれらの組み合わせに基づきうる。ＲＳのための単純な空間分離は、厳しいチャネル推定損失を被りうる。
【００５３】
１つの態様では、ＵＥ特有のＲＳが、ＣＤＭに基づいている場合、アクセス・ポイント３０２は、１または複数の無線デバイスのために選択されたＷａｌｓｈ符号にしたがってＲＳを多重化しうる。そして、Ｗａｌｓｈ符号は、ランクに関連するおのおののレイヤにリンクされうる。この場合、ＲＳ情報シグナリング構成要素３０６は、無線デバイス３０４に関連するＷａｌｓｈ符号（および／または、スパンされたレイヤ）をＰＤＣＣＨによってシグナルしうる。ＲＳ構成要素３０８は、Ｗａｌｓｈ符号にしたがって多重化されたＲＳを送信しうる。Ｗａｌｓｈ符号／スパンされたレイヤの数は、無線デバイス３０４のランクを示しうることが注目されるべきである。
【００５４】
ＲＳ情報受信構成要素３１０は、Ｗａｌｓｈ符号（または、スパンされたレイヤの数に関するインジケーション）を、アクセス・ポイント３０２から取得しうる。ランク決定構成要素３１２は、ＲＳ情報シグナリング構成要素３０６からシグナルされたＷａｌｓｈ符号の数（またはスパンされたレイヤの数）に基づいて、無線デバイス３０４のランクを区別しうる。ＲＳ復号構成要素３１４は、無線デバイス３０４のランクに基づいて、無線デバイス３０４に特有の１または複数のＲＳを復号しうる。例えば、ＲＳ復号構成要素３１４は、ランクに基づいて、および、受信したＷａｌｓｈ符号（または、スパンされたレイヤに関するインジケーション）を用いて、複数のレイヤにおいて、ＲＳを復号しうる。
【００５５】
それに加えて、無線デバイス３０４は、異なるランクのために異なるパターンが使用される場合には、アクセス・ポイント３０２によってサービス提供されるすべての無線デバイスの合計ランクに依存して、特有のＲＳパターンを決定しうる。１つの態様では、ＲＳ情報シグナリング構成要素３０６は、ＵＥ特有のＲＳパターンを、ＰＤＣＣＨで無線デバイス３０４へシグナルしうる。ＲＳ情報受信構成要素３１０は、ＲＳパターンを取得しうる。そして、ＲＳ復号構成要素３１４は、このパターンにしたがってＲＳを復号しうる。
【００５６】
別の態様では、ＲＳ情報シグナリング構成要素３０６は、コンパニオンＵＥ（他の無線デバイス）の合計ランク、または、アクセス・ポイント３０２によってサービス提供されているすべてのＵＥの合計ランクを、ＰＤＣＣＨで、無線デバイス３０４へシグナルしうる。ＲＳ情報受信構成要素３１０は、この情報を取得し、ＲＳ復号構成要素３１４は、この情報にしたがって、ＵＥ特有のＲＳパターンを決定しうる。例えば、コンパニオンＵＥの合計ランク、または、サービス提供されているすべてのＵＥの合計ランクに基づいて、ＵＥ特有のＲＳパターンをマッチングさせるためのロジックが、ハードコーディング、設定等に基づいて、無線デバイス３０４において実現されうる。ＵＥ特有のＲＳパターンが決定されると、データが、ＵＥ特有のＲＳパターンあたりでレート・マッチングされうる。
【００５７】
別の態様では、ＵＥ特有のＲＳが、周波数分割多重化（ＦＤＭ）に基づいている場合、アクセス・ポイント３０２は、周波数帯域内における周波数位置および／または異なる時間にしたがって、ＲＳを多重化し、時間／周波数位置が、無線デバイスのランクに関連する各レイヤにリンクされうる。ＲＳ情報シグナリング構成要素３０６は、スパンされたレイヤを、ＰＤＣＣＨで無線デバイス３０４へシグナルしうる。スパンされたレイヤの数は、無線デバイス３０４のランクを示しうる。ＲＳ構成要素３０８は、時間／周波数ＲＳ位置にしたがって多重化されたＲＳを送信しうる。
【００５８】
ＲＳ情報受信構成要素３１０は、スパンされたレイヤに関する情報を、アクセス・ポイント３０２から取得しうる。ランク決定構成要素３１２は、ＲＳ情報シグナリング構成要素３０６からシグナルされたスパンされたレイヤの数に基づいて、無線デバイス３０４のランクを区別しうる。ＲＳ復号構成要素３１４は、ランクに基づいて、無線デバイス３０４に特有のＲＳを復号しうる。
【００５９】
それに加えて、無線デバイス３０４は、異なるランクのために異なるＲＳパターンが使用される場合には、アクセス・ポイント３０２によってサービス提供されるすべての無線デバイスの合計ランクに依存して、特有のＲＳパターンを決定しうる。１つの態様では、ＲＳ情報シグナリング構成要素３０６は、ＵＥに特有のＲＳパターンを、ＰＤＣＣＨで無線デバイス３０４へシグナルしうる。ＲＳ情報受信構成要素３１０は、ＲＳパターンを取得しうる。そして、ＲＳ復号構成要素３１４は、このパターンにしたがってＲＳを復号しうる。
【００６０】
別の態様では、ＲＳ情報シグナリング構成要素３０６は、コンパニオンＵＥ（無線デバイス）の合計ランク、または、アクセス・ポイント３０２によってサービス提供されているすべてのＵＥの合計ランクを、ＰＤＣＣＨで、無線デバイス３０４へシグナルしうる。ＲＳ情報受信構成要素３１０は、この情報を取得し、ＲＳ復号構成要素３１４は、この情報にしたがって、ＵＥ特有のＲＳパターンを決定しうる。例えば、コンパニオンＵＥの合計ランク、または、サービス提供されているすべてのＵＥの合計ランクに基づいて、ＵＥ特有のＲＳパターンをマッチングさせるためのロジックが、ハードコーディング、設定等に基づいて、無線デバイス３０４において実現されうる。ＵＥ特有のＲＳパターンが決定されると、データが、ＵＥ特有のＲＳパターンあたりでレート・マッチングされうる。
【００６１】
上記の概念はＭＵ−ＭＩＭＯ通信に関して記載されるが、アクセス・ポイント３０２は、ＭＵ−ＭＩＭＯモードとシングル・ユーザＭＩＭＯ（ＳＵ−ＭＩＭＯ）モードの間で動的に切換可能でありうることが認識されるべきである。このようなシグナリングは、ＳＵ−ＭＩＭＯとの場合でさえも必要とされうる。それに加えて、または、その代わりに、ＲＳ情報シグナリング構成要素３０６は、無線デバイス３０４がＳＵ−ＭＩＭＯモードであるか、ＭＵ−ＭＩＭＯモードであるかを、ＰＤＣＣＨでシグナルしうる。
【００６２】
無線デバイス３０４がＳＵ−ＭＩＭＯモードである場合、ＵＥ特有のＲＳパターンを決定するために、ランク情報のみが必要とされうる。一方、無線デバイス３０４がＭＵ−ＭＩＭＯモードである場合、ＵＥ特有のＲＳパターンに加えて、スパンされたレイヤに関するインジケーションが必要とされうる。ＳＵ−ＭＩＭＯモードおよびＭＵ−ＭＩＭＯモードに関するインジケーションは、ＳＵ−ＭＩＭＯおよびＭＵ−ＭＩＭＯのために異なるＰＤＣＣＨフォーマットを用いることによって、無線デバイス３０４へシグナルされうる。
【００６３】
図４は、本開示のある態様にしたがって、ＵＥ特有のＲＳパターンを決定するために、ＵＥにおいて（例えば、無線デバイス３０４において）実行されうる動作４００の例を例示する。４０２では、ＵＥは、ダウンリンク制御チャネルに関連付けられた信号を受信しうる。ここで、この信号は、ＵＥ特有の情報を備えうる。４０４では、ＵＥは、この情報に基づいて、複数のＵＥ特有の基準信号（ＲＳ）パターンから、ＵＥ特有のＲＳパターンを選択しうる。選択されたＵＥ特有のＲＳパターンは、基準信号の送信のためにどのリソースが使用されるか、および、データ・シンボルの送信のためにどのリソースが使用されるかを示しうる。
【００６４】
本開示のさらに別の態様では、ＲＳ復号構成要素３１４は、ＵＥ特有のＲＳパターンを決定するために、アクセス・ポイント３０２からの１または複数の信号について、ブラインド復号を実行しうる。さらに、ブラインド復号を実行することによって、ＲＳ復号構成要素３１４は、自身のＵＥ特有のＲＳの時間／周波数位置またはＷａｌｓｈ符号を取得するために、無線デバイス３０４によってスパンされたレイヤを決定しうる。
【００６５】
無線デバイス３０４に特有のＲＳパターンは、無線デバイスのランクに特有の疑似雑音（ＰＮ）シーケンスを備えうる。異なるＲＳパターンは、異なるＰＮシーケンスを備えうる。そして、異なるレイヤは、異なるＰＮシーケンスに関連付けられうる。それに加えて、ＰＮシーケンスは、リソース・ブロック（ＲＢ）インデクスおよび／またはＲＢ割当に関連しうる。
【００６６】
無線デバイス３０４では、ＲＳ復号構成要素３１４は、受信されたＲＳを、異なるＰＮシーケンス仮説と相関付けうる。最大の相関結果は、無線デバイスのランクに特有のＲＳパターンを示しうる。さらに、ＲＳ復号構成要素３１４は、受信された別のＲＳを、別のＰＮシーケンス仮説と相関付けうる。ここで、別のＲＳは、異なるレイヤのために、異なるＰＮシーケンスを備えうる。最大の相関結果は、無線デバイス３０４によってスパンされたレイヤを示しうる。
【００６７】
図５は、本開示のある態様にしたがって、ＵＥ特有のＲＳパターンのブラインド復号のためにＵＥ（例えば、無線デバイス３０４）において実行されうる動作５００の例を例示する。５０２では、ＵＥは、基準信号（ＲＳ）を備える信号を受信しうる。ここで、ＲＳは、特有の疑似雑音（ＰＮ）シーケンスに関連付けられうる。５０４では、ＵＥは、複数のＰＮシーケンスを用いて、ＲＳのブラインド復号を実行しうる。５０６では、ＵＥは、ブラインド復号の結果に基づいて、複数のＵＥ特有の基準信号（ＲＳ）パターンから、ＵＥ特有のＲＳパターンを決定しうる。さらに、ＵＥは、別の複数のＰＮシーケンスを用いて、受信された信号の別のブラインド復号を実行しうる。ＵＥは、この別のブラインド復号の結果に基づいて、ＵＥによってスパンされたレイヤの数を判定しうる。
【００６８】
図６は、本開示のある態様にしたがってＲＳパターンを生成するためにアクセス・ポイント（例えば、アクセス・ポイント３０２）で実行されうる動作６００の例を図示する。６０２では、アクセス・ポイントが、ＲＳパターンを生成しうる。ここで、ＲＳパターンは、ＵＥの（例えば、無線デバイス３０４の）ランクに特有のＰＮシーケンスを備える。６０４では、アクセス・ポイントが、ＵＥにＲＳパターンを送信しうる。ＲＳパターンは、１または複数のＰＮシーケンスを備え、ＰＮシーケンスのおのおのは、ＵＥの異なるレイヤに関連付けられうる。
【００６９】
上述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するｍｅａｎｓ−ｐｕｌｓ−ｆｕｃｔｉｏｎ構成要素を有しうる。例えば、図４、５、および６に例示された動作４００、５００、および６００は、図４Ａ、５Ａ、および６Ａに例示された動作４００Ａ、５００Ａ、および６００Ａに対応する。
【００７０】
本明細書で使用される場合、用語「決定すること」は、さまざまな動作を含む。例えば、「決定すること」は、計算、コンピューティング、処理、導出、調査、ルックアップ（例えば、テーブル、データベース、または他のデータ構造内のルックアップ）、確認等を含むことができる。また、「決定すること」は、受信（例えば、情報の受信）、アクセス（例えば、メモリ内のデータへのアクセス）等を含むことができる。また、「決定すること」は、解決、選択、選定、確立等を含むことができる。
【００７１】
本明細書に記載されるように、アイテムのリストのうちの「少なくとも１つ」と称する文言は、単数を含むこれらアイテムのうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００７２】
上述した方法のさまざまな動作は、例えばさまざまなハードウェア構成要素および／またはソフトウェア構成要素、回路、および／または、モジュール（単数または複数）のように、動作を実行することが可能な任意の適切な手段によって実行されうる。通常、図面に例示される何れの動作も、これら動作を実行することが可能な対応する機能的手段によって実行されうる。
【００７３】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７４】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００７５】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００７６】
記載された機能は、ハードウェア、ソフトウェア、ファームウェア、またはこれら任意の組み合わせによって実現されうる。ソフトウェアで実現される場合、これら機能は、コンピュータ読取可能な媒体に、１または複数の命令群として格納される。コンピュータ読取可能な媒体は、非一時的なコンピュータ読取可能な媒体でありうる。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ＣＤ）、レーザ・ディスク、光ディスク、ディジタル・バーサタイル・ディスク（ＤＶＤ）、フロッピー（登録商標）ディスク、およびＢｌｕ−ｒａｙ（登録商標）ディスクを含んでいる。ここで、ｄｉｓｋは通常、データを磁気的に再生する一方、ｄｉｓｃは、レーザを用いてデータを光学的に再生する。
【００７７】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備えうる。これら命令群は、本明細書に記載された動作を実行するための１または複数のプロセッサによって実行可能である。ある態様の場合、コンピュータ・プログラム製品は、パッケージング・マテリアルを含みうる。
【００７８】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００７９】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００８０】
特許請求の範囲は、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００８１】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2013502835.tif 000003
【図２】
2013502835.tif 000004
【図３】
2013502835.tif 000005
【図４】
2013502835.tif 000006
【図４Ａ】
2013502835.tif 000007
【図５】
2013502835.tif 000008
【図５Ａ】
2013502835.tif 000009
【図６】
2013502835.tif 000010
【図６Ａ】
2013502835.tif 000011
【国際調査報告】
2013502835.tif 000012
2013502835.tif 000013